(57)【要約】【課題】かご室内の意匠を容易に変更することができるエレベータの乗りかごを得る。【解決手段】かご室壁３は、壁パネル６と、壁パネル６のかご室内部側に着脱可能に重ねられた意匠板７とを有している。壁パネル６には、貫通孔８が設けられている。また、意匠板７の裏側には、貫通孔８に挿入されるクリップ９が設けられている。クリップ９は、壁パネル６の裏側で貫通孔８の縁部に係合される上部延出部１２及び下部延出部１３を有している。上部延出部１２及び下部延出部１３は、意匠板７の壁パネル６に対する着脱の際に、貫通孔８の縁部に沿って弾性変形されながら貫通孔８を通されるようになっている。【選択図】図２
2005170540.tif 000002
【特許請求の範囲】
【請求項１】
かご室壁本体と、上記かご室壁本体のかご室内部側に重ねられ、上記かご室壁本体に対して着脱可能な意匠板とを有するかご室壁
を備え、
上記かご室壁本体には貫通孔が設けられ、上記意匠板の裏面には上記貫通孔に挿入される取付部材が設けられており、
上記取付部材は、上記かご室壁本体の裏側で上記貫通孔の縁部に係合される抜け止め部を有し、
上記抜け止め部は、上記意匠板の上記かご室壁本体に対する着脱の際に、上記貫通孔の縁部に沿って弾性変形されながら上記貫通孔を通されるようになっていることを特徴とするエレベータの乗りかご。
【請求項２】
かご室壁本体と、上記かご室壁本体のかご室内部側に重ねられる意匠板とを有するかご室壁
を備え、
上記かご室壁本体には第１の面ファスナが設けられ、上記意匠板の裏面には上記第１の面ファスナに対して着脱可能な第２の面ファスナが設けられており、
上記意匠板は、上記第１の面ファスナが上記第２の面ファスナに対して着けられることにより上記かご室壁本体に対して保持されることを特徴とするエレベータの乗りかご。
【請求項３】
かご室壁本体と、上記かご室壁本体のかご室内部側に重ねられる意匠板と有するかご室壁
を備え、
上記かご室壁本体には受け部材が設けられ、上記意匠板には上記受け部材に係合可能な係合部材が設けられており、
上記意匠板は、上記係合部材が上記受け部材に係合されることにより上記かご室壁本体に対して保持されることを特徴とするエレベータの乗りかご。
【発明の詳細な説明】
【技術分野】
【０００１】
この発明は、昇降路内を昇降されるエレベータの乗りかごに関するものである。
【背景技術】
【０００２】
従来、エレベータの乗りかごでは、かご室内の意匠変更を容易にするために、交換可能な意匠板がかご室の側壁パネルに重ねられることがある。意匠板は、側壁パネルの継ぎ目に挟まれた押さえ金により側壁パネルに押し付けられている。押さえ金は、側壁パネルの裏側でボルト及びナットにより側壁パネルとともに締結されている（例えば、特許文献１参照）。
【０００３】
【特許文献１】特開平７−１４９４８６号公報
【発明の開示】
【発明が解決しようとする課題】
【０００４】
しかし、従来のエレベータの乗りかごでは、押さえ金を締結するボルト及びナットが側壁パネルの裏側にあるので、かご室内の意匠変更の際には、作業者は乗りかごの外側の昇降路内でボルト及びナットを緩めなければならない。従って、意匠板の交換作業に手間がかかってしまう。また、かご室内の意匠変更の際には、エレベータの運転も停止させなければならない。
【０００５】
この発明は、上記のような問題点を解決することを課題としてなされたものであり、かご室内の意匠を容易に変更することができるエレベータの乗りかごを得ることを目的とする。
【課題を解決するための手段】
【０００６】
この発明に係るエレベータの乗りかごは、かご室壁本体と、かご室壁本体のかご室内部側に重ねられ、かご室壁本体に対して着脱可能な意匠板とを有するかご室壁を備え、かご室壁本体には貫通孔が設けられ、意匠板の裏面には貫通孔に挿入される取付部材が設けられており、取付部材は、かご室壁本体の裏側で貫通孔の縁部に係合される抜け止め部を有し、抜け止め部は、意匠板のかご室壁本体に対する着脱の際に、貫通孔の縁部に沿って弾性変形されながら貫通孔を通されるようになっている。
【発明の効果】
【０００７】
この発明に係るエレベータの乗りかごでは、意匠板の裏面に設けられた取付部材はかご室壁本体の裏側で貫通孔の縁部に係合される抜け止め部を有し、抜け止め部は意匠板のかご室壁本体に対する着脱の際に、貫通孔の縁部に沿って弾性変形されながら貫通孔を通されるようになっているので、意匠板をかご室内部側へ引くだけで意匠板をかご室壁本体から取り外すことができ、意匠板をかご室壁本体に押し付けるだけで意匠板をかご室壁本体に取り付けることができる。従って、意匠板をかご室壁本体に対してかご室内から容易に着脱することができ、かご室内の意匠を容易に変更することができる。
【発明を実施するための最良の形態】
【０００８】
実施の形態１．
図１は、この発明の実施の形態１によるエレベータの乗りかごのかご室内を示す正面図である。図において、かご室床１上には、かご室床１の縁部に沿って延びる下端支持部材２が設けられている。下端支持部材２上には、下端支持部材２に沿って配置されたかご室壁３が支持されている。かご室壁３の上端部には、かご室天井４が載せられている。かご室天井４には、かご室内照明用の照明器具５が取り付けられている。かご室壁３は、下端支持部材２上に立設された複数のかご室壁本体である壁パネル６と、壁パネル６のかご室内部側に重ねられた複数の意匠板（化粧板）７とを有している。
【０００９】
図２は図１のII-II線に沿った断面図、図３は図２の意匠板７が壁パネル６から取り外された状態を示す断面図、図４は図３の意匠板７及び壁パネル６を示す斜視図である。図において、壁パネル６には、複数の貫通孔８が設けられている。貫通孔８の断面形状は、長方形である。また、意匠板７の裏面、即ち意匠板７の壁パネル６側の面には、貫通孔８に挿入された複数の取付部材であるクリップ９が固定されている。貫通孔８は各壁パネル６の四隅に設けられ、クリップ９は意匠板７の四隅に固定されている。
【００１０】
各クリップ９は、金属板を折り曲げて作製されている。また、各クリップ９は、ねじ１０により意匠板７に固定された基部１１と、基部１１の上端部及び下端部からかご室外部側へそれぞれ延出された一対の抜け止め部である上部延出部１２及び下部延出部１３とを有している。意匠板７は、上部延出部１２及び下部延出部１３が貫通孔８の縁部にそれぞれ係合されることにより、壁パネル６に取り付けられている。
【００１１】
上部延出部１２は、基部１１から上方へ緩やかに傾斜して延びる拡張部分１２ａと、拡張部分１２ａから下方へ緩やかに傾斜して延びる縮小部分１２ｂとを有している。即ち、上部延出部１２は、その中間部分で上方へ突出するように彎曲されている。また、上部延出部１２は、壁パネル６の裏側で貫通孔８の上縁部に係合されている。上部延出部１２が貫通孔８の上縁部に係合されている状態では、拡張部分１２ａが貫通孔８の上縁部に当接されている。
【００１２】
下部延出部１３は、基部１１から下方へ緩やかに傾斜して延びる拡張部分１３ａと、拡張部分１３ａから上方へ緩やかに傾斜して延びる縮小部分１３ｂとを有している。即ち、下部延出部１３は、その中間部分で下方へ突出するように彎曲されている。また、下部延出部１３は、壁パネル６の裏側で貫通孔８の下縁部に係合されている。下部延出部１３が貫通孔８の下縁部に係合されている状態では、拡張部分１３ａが貫通孔８の下縁部に当接されている。
【００１３】
上部延出部１２及び下部延出部１３は、貫通孔８に通される際に互いに近づく方向へ弾性変形可能になっている。意匠板７が壁パネル６から取り外される際には、上部延出部１２及び下部延出部１３は、それぞれの拡張部分１２ａ，１３ａが貫通孔８の縁部に沿ってスライドされながら互いに近づく方向へ弾性変形される。また、意匠板７が壁パネル６に対して取り付けられる際には、上部延出部１２及び下部延出部１３は、それぞれの縮小部分１２ｂ，１３ｂが貫通孔８の縁部に沿ってスライドされながら互いに近づく方向へ弾性変形される。
【００１４】
図５は、図２の意匠板７を壁パネル６から取り外す際の状態を示す断面図である。図に示すように、意匠板７が壁パネル６から取り外される際には、意匠板７の表面に吸着する吸着工具１４が用いられる。吸着工具１４は、持ち手１５が固定された工具本体１６と、工具本体１６に保持され、意匠板７を吸着する樹脂製の吸盤１７とを有している。意匠板７は、吸着工具１４のかご室内部側への引き寄せにより、壁パネル６から取り外し可能になっている。
【００１５】
次に、意匠板７の壁パネル６に対する交換手順について説明する。
まず、壁パネル６に取り付けられた意匠板７に吸盤１７を押し付け、吸着工具１４を意匠板７に吸着させる。この後、吸着工具１４をかご室内部側へ引く。これにより、上部延出部１２及び下部延出部１３は、貫通孔８の縁部に沿って互いに近づく方向へ弾性変形されながら貫通孔８を通される。即ち、上部延出部１２及び下部延出部１３の貫通孔８の縁部に対する係合が外れてクリップ９が貫通孔８から抜ける。このようにして、意匠板７を壁パネル６から外す。
【００１６】
この後、交換用の意匠板７に設けられたクリップ９を貫通孔８の位置に合わせて、交換用の意匠板７を壁パネル６に押し付ける。このとき、上部延出部１２及び下部延出部１３は、貫通孔８の縁部に沿って互いに近づく方向へ弾性変形されながら貫通孔８を通される。この後、上部延出部１２及び下部延出部１３がそれぞれの拡張部分１２ａ，１３ａまで貫通孔８に押し込まれると、上部延出部１２及び下部延出部１３は、復元力により互いに離れる方向へ変位される。これにより、上部延出部１２及び下部延出部１３が壁パネル６の裏側で貫通孔８の縁部に係合される。このようにして、交換用の意匠板７を壁パネル６に取り付け、意匠板７の壁パネル６に対する交換が完了する。
【００１７】
このようなエレベータの乗りかごでは、壁パネル６に貫通孔８が設けられ、意匠板７の裏面には貫通孔８に通されるクリップ９が設けられており、クリップ９は壁パネル６の裏側で貫通孔８の縁部に係合される上部延出部１２及び下部延出部１３を有し、上部延出部１２及び下部延出部１３は意匠板７の壁パネル６に対する着脱の際に、貫通孔８の縁部に沿って弾性変形されながら貫通孔８を通されるようになっているので、意匠板７をかご室内部側へ引くだけで意匠板７を壁パネル６から取り外すことができ、意匠板７を壁パネル６に押し付けるだけで意匠板７を壁パネル６に取り付けることができる。従って、意匠板７を壁パネル６に対してかご室内から容易に着脱することができ、かご室内の意匠を容易に変更することができる。
【００１８】
なお、上記の例では、クリップ９は金属製であるが、樹脂製のクリップとしてもよい。
また、上記の例では、貫通孔８を通される際に互いに近づく方向へ弾性変形される上部延出部１２及び下部延出部１３が抜け止め部とされているが、貫通孔８を通される際に断面積が細くなる例えばゴム等の弾性体により作製された傘状の部材であってもよい。
【００１９】
実施の形態２．
図６は、この発明の実施の形態２によるエレベータの乗りかごのかご室壁を示す要部断面図である。また、図７は図６の意匠板７が壁パネル６から取り外された状態を示す断面図、図８は図７の意匠板７及び壁パネル６を示す斜視図である。図に示すように、この例では、壁パネル６のかご室内部側の面には、複数の第１の面ファスナ２１が設けられている。また、意匠板７の裏面には、第１の面ファスナ２１に着脱可能な複数の第２の面ファスナ２２が設けられている。第１の面ファスナ２１は各壁パネル６の四隅に設けられ、第２の面ファスナ２２は意匠板７の四隅に設けられている。さらに、ここでは、マジックテープ（登録商標）が第１及び第２の面ファスナ２１，２２として用いられている。また、第１の面ファスナ２１及び第２の面ファスナ２２はそれぞれプラスチック製である。
【００２０】
第１の面ファスナ２１は、ねじ２３及びナット２４により壁パネル６に固定されている。また、第２の面ファスナ２２は、ねじ２５により意匠板７の裏面に固定されている。
【００２１】
図９は、図６の意匠板７を壁パネル６から取り外す際の状態を示す断面図である。図に示すように、意匠板７が壁パネル６から取り外される際には、実施の形態１と同様に吸着工具１４が用いられる。意匠板７は、吸着工具１４のかご室内部側への引き寄せにより、壁パネル６から取り外し可能になっている。他の構成は実施の形態１と同様である。
【００２２】
次に、意匠板７の壁パネル６に対する交換手順について説明する。
まず、壁パネル６に取り付けられた意匠板７に吸盤１７を押し付け、吸着工具１４を意匠板７に吸着させる。この後、吸着工具１４をかご室内部側へ引く。これにより、第２の面ファスナ２２が第１の面ファスナ２１から引きはがされ、意匠板７が壁パネル６から取り外される。
【００２３】
この後、交換用の意匠板７に設けられた第２の面ファスナ２２を第１の面ファスナ２１の位置に合わせて、交換用の意匠板７を壁パネル６に押し付ける。このとき、意匠板側マジックテープ２１は壁側マジックテープ２２に着けられ、意匠板７が壁パネル６に取り付けられる。
【００２４】
このようなエレベータの乗りかごでは、壁パネル６に第１の面ファスナ２１が設けられ、意匠板７の裏面に第２の面ファスナ２２が設けられているので、意匠板７をかご室内部側へ引くだけで意匠板７を壁パネル６から容易に外すことができ、意匠板７を壁パネル６に対して押し付けるだけで意匠板７を壁パネル６に容易に保持させることができる。従って、意匠板７を壁パネル６に対してかご室内から容易に着脱することができ、かご室内の意匠を容易に変更することができる。
【００２５】
なお、上記の例では、第１の面ファスナ２１及び第２の面ファスナ２２がプラスチック製となっているが、例えば布等により第１の面ファスナ２１及び第２の面ファスナ２２を作製してもよい。
また、上記の例では、第１の面ファスナ２１が壁パネル６にねじ２３及びナット２４により固定されているが、壁パネル６に第１の面ファスナ２１を接着剤により接着してもよい。
さらに、上記の例では、第２の面ファスナ２２が意匠板７にねじ２５により固定されているが、意匠板７に第２の面ファスナ２２を接着剤により接着してもよい。
【００２６】
実施の形態３．
図１０は、この発明の実施の形態３によるエレベータの乗りかごのかご室壁を示す要部断面図である。また、図１１は図１０の意匠板７が壁パネル６から取り外された状態を示す断面図、図１２は図１１の意匠板７及び壁パネル６を示す斜視図である。図に示すように、この例では、壁パネル６のかご室内部側の面には、複数の受け部材である取付金３１が設けられている。また、意匠板７の裏面には、取付金３１に係合可能な係合部材である係合金３２が設けられている。取付金３１は各壁パネル６の四隅に設けられ、係合金３２は意匠板７の四隅に設けられている。
【００２７】
取付金３１は、壁パネル６のかご室内部側の面にリベット（かしめ金）３３により取り付けられている。また、取付金３１は、リベット３３により壁パネル６に固定された固定部３４と、固定部３４の上端から上方へ延出され、壁パネル６との間に隙間が形成された押さえ部３５とを有している。固定部３４は、壁パネル６に沿って水平に延びる板状部材である。押さえ部３５は、弾性部材（ばね材）であり、壁パネル６に接する方向へ押さえ部３５自体の弾性により付勢されている。押さえ部３５の一部は、固定部３４の壁パネル６への取り付けにより壁パネル６に押し付けられている。また、押さえ部３５の上端部には、壁パネル６から離れる方向へ延びるフレア部３５ａが設けられている。
【００２８】
係合金３２は、意匠板７の裏面にねじ３６により固定されている。また、係合金３２は金属製である。さらに、係合金３２は、ねじ３６により意匠板７に固定された固定部３７と、固定部３７の下端から下方へ延びる挿入部３８とを有している。挿入部３８の下端部は、意匠板７の裏面に対して間隔を置いて配置されている。係合金３２は、挿入部３８が押さえ部３５と壁パネル６との間に挿入されることにより、取付金３１に対して係合可能になっている。
【００２９】
図１３は、図１０の意匠板７を壁パネル６から取り外す際の状態を示す断面図である。図に示すように、意匠板７が壁パネル６から取り外される際には、実施の形態１と同様に吸着工具１４が用いられる。意匠板７は、吸着工具１４の上方への変位により、壁パネル６から取り外し可能になっている。他の構成は実施の形態１と同様である。
【００３０】
次に、意匠板７の壁パネル６に対する交換手順について説明する。
まず、壁パネル６に取り付けられた意匠板７に吸盤１７を押し付け、吸着工具１４を意匠板７に吸着させる。この後、吸着工具１４を上方へ持ち上げる。これにより、挿入部３８が押さえ部３５と壁パネル６との間から外され、意匠板７が壁パネル６から取り外される。
【００３１】
この後、交換用の意匠板７を移動させながら係合金３２を取付金３１の上方から下方へ下げ、挿入部３８を押さえ部３５と壁パネル６との間に挿入させる。このとき、押さえ部３５は、係合金３２の厚さ分だけかご室内部側に弾性変形される。これにより、挿入部３８は、押さえ部３５により壁パネル６に押さえ付けられ、押さえ部３５と壁パネル６との間から外れにくくなる。このようにして、意匠板７が壁パネル６に取り付けられ、意匠板７の交換が完了する。
【００３２】
このようなエレベータの乗りかごでは、壁パネル６に取付金３１が設けられ、意匠板７の裏面に係合金３２が設けられているので、意匠板７を上方へ持ち上げるだけで意匠板７を壁パネル６から容易に外すことができ、意匠板７に設けられた係合金３２を取付金３１に係合させるだけで意匠板７を壁パネル６に容易に保持させることができる。従って、意匠板７を壁パネル６に対してかご室内から容易に着脱することができ、かご室内の意匠を容易に変更することができる。
【００３３】
なお、上記の例では、取付金３１のみが壁パネル６に押し付けられるようになっているが、係合金３２を弾性部材にして意匠板７に押し付けられるようにしてもよい。
【００３４】
また、押さえ部３５は、壁パネル６に押し付けなくてもよい。このようにしても、係合金３２を取付金３１に係合させることができ、意匠板７を壁パネル６に保持させることができる。
【００３５】
さらに、各上記実施の形態では、意匠板７を壁パネル６から取り外すために吸着工具１４が用いられているが、作業者の手作業により工具を用いずに意匠板７を壁パネル６から取り外すようにしてもよい。
【図面の簡単な説明】
【００３６】
【図１】この発明の実施の形態１によるエレベータの乗りかごのかご室内を示す正面図である。
【図２】図１のII-II線に沿った断面図である。
【図３】図２の意匠板が壁パネルから取り外された状態を示す断面図である。
【図４】図３の意匠板及び壁パネルを示す斜視図である。
【図５】図２の意匠板を壁パネルから取り外す際の状態を示す断面図である。
【図６】この発明の実施の形態２によるエレベータの乗りかごのかご室壁を示す要部断面図である。
【図７】図６の意匠板が壁パネルから取り外された状態を示す断面図である。
【図８】図７の意匠板及び壁パネルを示す斜視図である。
【図９】図６の意匠板を壁パネルから取り外す際の状態を示す断面図である。
【図１０】この発明の実施の形態３によるエレベータの乗りかごのかご室壁を示す要部断面図である。
【図１１】図１０の意匠板が壁パネルから取り外された状態を示す断面図である。
【図１２】図１１の意匠板及び壁パネルを示す斜視図である。
【図１３】図１０の意匠板を壁パネルから取り外す際の状態を示す断面図である。
【符号の説明】
【００３７】
３  かご室壁、６  壁パネル（かご室壁本体）、７  意匠板、８  貫通孔、９  クリップ（取付部材）１２  上部延出部（抜け止め部）、１３  下部延出部（抜け止め部）、２１  壁側マジックテープ（第１の面ファスナ）、２２  意匠板側マジックテープ（第２の面ファスナ）、３１  取付金（受け部材）、３２  係合金（係合部材）。
【図１】
2005170540.tif 000003
【図２】
2005170540.tif 000004
【図３】
2005170540.tif 000005
【図４】
2005170540.tif 000006
【図５】
2005170540.tif 000007
【図６】
2005170540.tif 000008
【図７】
2005170540.tif 000009
【図８】
2005170540.tif 000010
【図９】
2005170540.tif 000011
【図１０】
2005170540.tif 000012
【図１１】
2005170540.tif 000013
【図１２】
2005170540.tif 000014
【図１３】
2005170540.tif 000015